【事件の表示】
　特願２００２−１３５８６０「酸性銅めっき浴用添加剤及び該添加剤を含有する酸性銅めっき浴並びに該めっき浴を用いるめっき方法」拒絶査定不服審判事件〔平成１５年１１月１９日出願公開、特開２００３−３２８１７９〕について、次のとおり審決する。
【結　論】
　本件審判の請求は、成り立たない。
【理　由】
Ｉ．手続の経緯・本願発明
　本願は、平成１４年５月１０日の出願であって、平成１８年８月２１日付けで拒絶理由通知がなされ、同年１０月２７日付けで意見書及び手続補正書が提出され、平成１９年１月１１日付けで最後の拒絶理由通知がなされ、これに対して同年３月１９日付けで意見書及び手続補正書が提出されたところ、同年３月１９日付け手続補正は、同年４月２６日付けで補正却下されるとともに、同日付で拒絶査定がなされた。
　これに対し、平成１９年６月１４日に拒絶査定に対する審判請求がなされるとともに、同年７月１３日付けで手続補正書が提出されたものである。
　
ＩＩ．平成１９年７月１３日付け手続補正についての補正却下の決定
　
＜補正却下の決定の結論＞
　平成１９年７月１３日付け手続補正（以下、「本件補正」という。）を却下する。
　
＜理由＞
１．本件補正後の発明
　本件補正により、特許請求の範囲の請求項１〜１３は、次のとおりに補正された。
　
「【請求項１】
　次の成分（ａ）〜（ｃ）
　（ａ）ＫＢ−１２（商標）　０．０１〜２ｇ／Ｌ
　（ｂ）ポリプロピレングリコール、プルロニック型界面活性剤、テトロニック型界面活性剤、ポリエチレングリコール・グリセリンエーテルおよびポリエチレングリコール・ジアルキルエーテルからなる群から選ばれる１種または２種以上のポリマー成分　０．０１〜１０ｇ／Ｌ
　（ｃ）スルホアルキルスルホン酸およびその塩、ビススルホ有機化合物およびジチオカルバミン酸誘導体からなる群から選ばれる１種または２種以上のキャリアー成分０．０２〜２００ｍｇ／Ｌ
　を含有する酸性銅めっき浴用添加剤。　
　　【請求項２】
　次の成分（ｄ）及び（ｅ）
　（ｄ）銅イオン　１０〜７５ｇ／Ｌ
　（ｅ）有機酸または無機酸  ３０〜２５０ｇ／Ｌ
を含有する基本浴成分に、請求項第１項に記載される酸性銅めっき用添加剤を添加してなる酸性銅めっき浴。
　　【請求項３】
　銅イオン源として、硫酸銅、酸化銅、塩化銅、炭酸銅、ピロリン酸銅、アルカンスルホン酸銅、アルカノールスルホン酸銅および有機酸銅から選ばれる銅化合物を使用する請求項第２項記載の酸性銅めっき浴。
　　【請求項４】
　有機酸あるいは無機酸として、硫酸、アルカンスルホン酸またはアルカノールスルホン酸を用いる請求項第２項または第３項記載の酸性銅めっき浴。
　　【請求項５】
　更に、塩素を１０〜１００ｍｇ／Ｌ含有する請求項第２項ないし第４項のいずれかの項記載の酸性銅めっき浴。
　　【請求項６】
　パターニングされた基板を導電化処理した後、次の成分（ａ）〜（ｅ）
　（ａ）ＫＢ−１２（商標）　０．０１〜２ｇ／Ｌ
　（ｂ）ポリプロピレングリコール、プルロニック型界面活性剤、テトロニック型界面活性剤、ポリエチレングリコール・グリセリンエーテルおよびポリエチレングリコール・ジアルキルエーテルからなる群から選ばれる１種または２種以上のポリマー成分　０．０１〜１０ｇ／Ｌ
　（ｃ）スルホアルキルスルホン酸およびその塩、ビススルホ有機化合物およびジチオカルバミン酸誘導体からなる群から選ばれる１種または２種以上のキャリアー成分　０．０２〜２００ｍｇ／Ｌ
　（ｅ）有機酸または無機酸　３０〜２５０ｇ／Ｌ
を含有する酸性銅めっき浴でめっきすることを特徴とする基板のめっき方法。
　　【請求項７】
　基板がスルーホールおよび／またはビアホールを有するものである請求項第６項記載の基板のめっき方法。
　　【請求項８】
　めっきがＤＣ（直流）電源を用いて行われるものである請求項第６項または第７項記載の基板のめっき方法。
　　【請求項９】
　めっきがパルスＰＲ電源を用いて行われるものである請求項第６項ないし第８項のいずれかの項記載の基板のめっき方法。
　　【請求項１０】
　基板の導電化処理が、無電解めっきによる金属（カーボンを含む）被覆処理、スパッタリング、蒸着または化学気相蒸着法により行なわれたものである請求項第６項ないし第９項のいずれかの項記載の基板のめっき方法。
　　【請求項１１】
　樹脂フィルムの表面に金属の被膜を形成した後、次の成分
（ａ）〜（ｅ）
　（ａ）ＫＢ−１２（商標）　０．０１〜２ｇ／Ｌ
　（ｂ）ポリプロピレングリコール、プルロニック型界面活性剤、テトロニック型界面活性剤、ポリエチレングリコール・グリセリンエーテルおよびポリエチレングリコール・ジアルキルエーテルからなる群から選ばれる１種または２種以上のポリマー成分　０．０１〜１０ｇ／Ｌ
　（ｃ）スルホアルキルスルホン酸およびその塩、ビススルホ有機化合物およびジチオカルバミン酸誘導体からなる群から選ばれる１種または２種以上のキャリアー成分　０．０２〜２００ｍｇ／Ｌ
　（ｄ）銅イオン　１０〜７５ｇ／Ｌ
　（ｅ）有機酸または無機酸  ３０〜２５０ｇ／Ｌ
を含有する酸性銅めっき浴でめっきすることを特徴とする樹脂フィルムのめっき方法。
　　【請求項１２】
　金属被膜の形成がスパッタリングで行われる請求項第１１項記載の樹脂フィルムのめっき方法。
　　【請求項１３】
　樹脂フィルムがポリイミドフィルムである請求項第１２項記載のめっき方法。」
　
　この補正は、補正前の請求項２を引用しさらに請求項１を引用する請求項３を補正後の請求項１に繰り上げるとともに、補正前の請求項１及び２を削除し、補正前の請求項４〜１５を請求項２〜１３に繰り上げ、引用する請求項を補正後の請求項に整合させ、さらに、補正後の請求項６及び１１に発明特定事項を付加したものである。
　なお、補正前の請求項８には酸性銅めっき浴の成分として「（ｄ）銅イオン　１０〜７５ｇ／Ｌ」が記載されているのに対して、補正後の請求項６には成分（ｄ）は記載されていないが、補正後の請求項６には、成分（ｃ）の後に成分（ｅ）が記載されていることからすると、成分（ｃ）と成分（ｅ）との間に「（ｄ）銅イオン　１０〜７５ｇ／Ｌ」と記載すべきであったところを誤記したものと認める。
　そして、補正後の請求項６及び１１に記載の、新たな発明特定事項である、「ポリプロピレングリコール、プルロニック型界面活性剤、テトロニック型界面活性剤、ポリエチレングリコール・グリセリンエーテルおよびポリエチレングリコール・ジアルキルエーテルからなる群から選ばれる１種または２種以上のポリマー成分」及び「スルホアルキルスルホン酸およびその塩、ビススルホ有機化合物およびジチオカルバミン酸誘導体からなる群から選ばれる１種または２種以上のキャリアー成分」は、それぞれ、補正前の発明特定事項の「ポリマー成分」及び「キャリアー成分」を具体的に限定したものといえるから、この補正は、請求項の削除、明りょうでない記載の釈明及び特許請求の範囲の減縮を目的とするものに該当する。
　
　そこで、上記補正後の請求項６に係る発明（以下、「本願補正発明６」という。）が特許出願の際独立して特許を受けることができるものであるか否か（同法第１７条の２第５項において準用する同法第１２６条第５項の規定に適合するか否か）について以下検討する。
　
２．引用刊行物とその記載事項
　これに対し、原査定の拒絶の理由に引用された、本願の出願前に頒布された刊行物である特開２００１−２００３８６号公報（以下、「刊行物１」という。）及び特開昭６１−４１７８７号公報（以下、「刊行物２」という。）には、それぞれ次の事項が記載されている。
　
（１）刊行物１：特開２００１−２００３８６号公報
（１ａ）
「【請求項１】  ブラインドビアホールを有する基板を導電化処理した後、次の成分（Ａ）〜（Ｅ）
（Ａ）１００〜３００ｇ／Ｌの硫酸銅
（Ｂ）  ３０〜１５０ｇ／Ｌの硫酸
（Ｃ）１０〜１０００ｍｇ／Ｌの、ポリプロピレングリコール、プルロニック型界面活性剤、テトロニック型界面活性剤、ポリエチレングリコール・グリセリルエーテルまたはポリエチレングリコール・ジアルキルエーテルから選ばれる第１の成分、
（Ｄ）０.１〜２０ｍｇ／Ｌの、スルホアルキルスルホン酸ナトリウム、ビススルホ有機化合物およびジチオカルバミン酸誘導体から選ばれる第２の成分、
（Ｅ）０．０５〜１０ｍｇ／Ｌの、ポリアルキレンイミン、１−ヒドロキシエチル−２−アルキルイミダゾリンクロライド、オーラミンおよびその誘導体、メチルバイオレットおよびその誘導体、クリスタルバイオレットおよびその誘導体並びにヤノスブラックおよびその誘導体から選ばれる第３の成分を含有する酸性銅めっき浴でめっきすることを特徴とするビアフィリング方法。」
（１ｂ）
「【００１２】本発明のビアフィリング方法の対象となる基板は、・・・ブラインドビアホールを有するプリント基板等の基板であり、・・・この基板には、ビアホールのほか、スルホールが混在していても良く、更にトレンチがあっても良い。
（１ｃ）
「【００２１】・・・成分（Ｅ）である第３の成分は、一般にレベラー成分ともいわれるものであり、・・・」
　
（２）刊行物２：特開昭６１−４１７８７号公報
（２ａ）
「支持体上に銅を電着させるのに十分な量で銅を含有する酸性電解液において、次の成分の混合物からなる添加物系を光沢およびレベリングを与える量で含有する電解液であって、上記添加物系は、
（ａ）浴可溶ポリエステル化合物と、
（ｂ）浴可溶有機二価硫黄化合物と、
（ｃ）第三アルキルアミンと次の構造式を有するポリエピクロロヒドインとの浴可溶アダクツと、・・・
（ｄ）ポリエチレンイミンとアルキル化剤との浴可溶反応生成物とからな・・・る電解液。」
（特許請求の範囲の第１項）
（２ｂ）
「本発明は・・・銅を電着させる電解液組成物および方法に関し、・・・特に印刷回路板上において光沢、延性およびレベリングを有し、かつ凹部においても良好な光沢のあるメッキ層を生成・・・することを可能にする・・・添加物系に関する。」
（２頁右上欄１４行〜左下欄４行）
（２ｃ）
「添加物系の成分（ｃ）は第三アルキルアミンと・・・ポリエピクロロヒドリンとの浴可溶アダクツである：
・・・ポリエピクロロヒドリンと第三アルキルアミンとのそのような第四アダクツは、・・・適切な溶媒中においてポリエピクロロヒドリンを第三アルキルアミンの溶液と接触させることによって・・・生成することができる。」
（４頁右上欄３行〜左下欄３行）
（２ｄ）
「実施例　１
電子回路板を銅メッキするのに特にふさわしい本発明の好ましい実施によつて得られた電解液は次のとおりである：
・・・
添加物系：
・・・
（ｃ）第四エピクロロヒドリン　１３ｍｇ／ｌ・・・
　添加物系の・・・成分（ｃ）はポリエピクロロヒドリンの第四アンモニウム塩から成つていた。」
（５頁左下欄１０行〜右下欄１０行）
　
３．対比・判断
（１）刊行物１に記載された発明
　刊行物１の摘示（１ａ）には、「ブラインドビアホールを有する基板を導電化処理した後、次の成分（Ａ）〜（Ｅ）
（Ａ）１００〜３００ｇ／Ｌの硫酸銅
（Ｂ）  ３０〜１５０ｇ／Ｌの硫酸
（Ｃ）１０〜１０００ｍｇ／Ｌの、ポリプロピレングリコール、プルロニック型界面活性剤、テトロニック型界面活性剤、ポリエチレングリコール・グリセリルエーテルまたはポリエチレングリコール・ジアルキルエーテルから選ばれる第１の成分、
（Ｄ）０.１〜２０ｍｇ／Ｌの、スルホアルキルスルホン酸ナトリウム、ビススルホ有機化合物およびジチオカルバミン酸誘導体から選ばれる第２の成分、
（Ｅ）０．０５〜１０ｍｇ／Ｌの、ポリアルキレンイミン、１−ヒドロキシエチル−２−アルキルイミダゾリンクロライド、オーラミンおよびその誘導体、メチルバイオレットおよびその誘導体、クリスタルバイオレットおよびその誘導体並びにヤノスブラックおよびその誘導体から選ばれる第３の成分を含有する酸性銅めっき浴でめっきする方法」が記載されており、成分（Ａ）の「１００〜３００ｇ／Ｌの硫酸銅」を銅イオンに換算すると４０〜１２０ｇ／Ｌであるから、上記成分（Ａ）は、「４０〜１２０ｇ／Ｌの銅イオン」ということもできる。
　摘示（１ｂ）によれば、上記基板には、ビアホールのほか、スルホールが混在していても良く、更にトレンチがあっても良いことが理解できるし、摘示（１ｃ）には、成分（Ｅ）がレベラー成分であることが記載されている。
　
　これらを総合し、各成分含有量の単位を換算すると、刊行物１には、次の発明（以下、「刊行物１発明」という。）が記載されていると認められる。
「ブラインドビアホールのほか、スルホール、トレンチを有する基板を導電化処理した後、次の成分（Ａ）〜（Ｅ）
（Ａ）　４０〜１２０ｇ／Ｌの銅イオン
（Ｂ）  ３０〜１５０ｇ／Ｌの硫酸
（Ｃ）０．０１〜１ｇ／Ｌの、ポリプロピレングリコール、プルロニック型界面活性剤、テトロニック型界面活性剤、ポリエチレングリコール・グリセリルエーテルまたはポリエチレングリコール・ジアルキルエーテルから選ばれる第１の成分、
（Ｄ）０．１〜２０ｍｇ／Ｌの、スルホアルキルスルホン酸ナトリウム、ビススルホ有機化合物およびジチオカルバミン酸誘導体から選ばれる第２の成分、
（Ｅ）０.０５〜１０ｍｇ／Ｌの、ポリアルキレンイミン、１−ヒドロキシエチル−２−アルキルイミダゾリンクロライド、オーラミンおよびその誘導体、メチルバイオレットおよびその誘導体、クリスタルバイオレットおよびその誘導体並びにヤノスブラックおよびその誘導体から選ばれる、レベラー成分としての第３の成分を含有する酸性銅めっき浴でめっきする方法。」
　
（２）本願補正発明６と刊行物１発明との対比
　本願補正発明６と刊行物１発明を対比すると、
　刊行物１発明における「ブラインドビアホールのほか、スルホール、トレンチを有する基板」は、本願補正発明６における「パターニングされた基板」に相当する。
　刊行物１発明における成分（Ａ）の「銅イオン」は、本願補正発明６における成分（ｄ）の「銅イオン」に相当し、両者の含有量は、４０〜７５ｇ／Ｌの範囲で重複する。
　刊行物１発明における成分（Ｂ）の「硫酸」は、本願補正発明６における成分（ｅ）の「無機酸」に相当し、両者の含有量は、３０〜１５０ｇ／Ｌの範囲で重複する。
　刊行物１発明における成分（Ｃ）の「ポリプロピレングリコール、プルロニック型界面活性剤、テトロニック型界面活性剤、ポリエチレングリコール・グリセリルエーテルまたはポリエチレングリコール・ジアルキルエーテルから選ばれる第１の成分」は、本願補正発明６における成分（ｂ）の「ポリプロピレングリコール、プルロニック型界面活性剤、テトロニック型界面活性剤、ポリエチレングリコール・グリセリンエーテルおよびポリエチレングリコール・ジアルキルエーテルからなる群から選ばれる１種または２種以上のポリマー成分」に相当し、両者の含有量は、０．０１〜１ｇ／Ｌの範囲で重複する。
　刊行物１発明における成分（Ｄ）の「スルホアルキルスルホン酸ナトリウム、ビススルホ有機化合物およびジチオカルバミン酸誘導体から選ばれる第２の成分」は、本願補正発明６における成分（ｃ）の「スルホアルキルスルホン酸およびその塩、ビススルホ有機化合物およびジチオカルバミン酸誘導体からなる群から選ばれる１種または２種以上のキャリアー成分」に相当し、両者の含有量は、０．１〜２０ｍｇ／Ｌの範囲で重複する。
　本願明細書の【００１５】段落に「本発明の・・・成分（ａ）・・・は、・・・いわゆるレベラー成分として作用するものである。」と記載されているように、本願補正発明６における成分（ａ）はレベラー成分として作用するものと認められるところ、刊行物１発明における成分（Ｅ）の「第３の成分」も、摘示（１ｃ）によればレベラー成分といわれるものであるから、両者は、レベラー成分である点で共通する。
　
　そうすると、両者は、
「パターニングされた基板を導電化処理した後、次の成分（ａ）〜（ｅ）
　（ａ）レベラー成分
　（ｂ）ポリプロピレングリコール、プルロニック型界面活性剤、テトロニック型界面活性剤、ポリエチレングリコール・グリセリンエーテルおよびポリエチレングリコール・ジアルキルエーテルからなる群から選ばれる１種または２種以上のポリマー成分　０．０１〜１ｇ／Ｌ
　（ｃ）スルホアルキルスルホン酸およびその塩、ビススルホ有機化合物およびジチオカルバミン酸誘導体からなる群から選ばれる１種または２種以上のキャリアー成分　０．１〜２０ｍｇ／Ｌ
　（ｄ）銅イオン　４０〜７５ｇ／Ｌ
　（ｅ）無機酸　３０〜１５０ｇ／Ｌ
を含有する酸性銅めっき浴でめっきする基板のめっき方法。」
で一致し、次の点で相違する。
　
相違点：本願補正発明６におけるレベラー成分は、「ＫＢ−１２（商標）　０．０１〜２ｇ／Ｌ」であるのに対して、刊行物１発明におけるレベラー成分は、「０.０５〜１０ｍｇ／Ｌの、ポリアルキレンイミン、１−ヒドロキシエチル−２−アルキルイミダゾリンクロライド、オーラミンおよびその誘導体、メチルバイオレットおよびその誘導体、クリスタルバイオレットおよびその誘導体並びにヤノスブラックおよびその誘導体から選ばれる」成分である点。
　
（３）相違点についての検討
（３−１）ＫＢ−１２（商標）について
　上記相違点を検討するにあたり、まず、「ＫＢ−１２（商標）」なる物質について検討する。
　ＫＢ−１２について、本願明細書には、【００１６】段落に、「成分（ａ）は、アルキルアミンとグリコール類を公知の方法で重合して得られるアルキルアミンとグリコール類の重合物であり、例えば、ＫＢ−１２（互応化学工業（株）製）等の商品名で市販されている・・・」、【００５８】段落に、硫酸銅めっき浴の組成として「６．  アルキルアミンとグリコール類の重合物＊３　・・・　＊３：  ＫＢ−１２（互応化学工業（株）製）」等と記載されているのみであって、前記「ＫＢ−１２」が、アルキルアミンとグリコール類の重合物の一種であることは理解できるものの、具体的にどのような物質であるかは記載されていない。
　
　一方、審判請求人が提出した平成１８年１０月３０日付けの手続補足書には、以下の記載がある。
　
「原料調査書
１　　原料名　ＫＢ−１２
・・・
３　　メーカー名　互応化学工業（株）
・・・
１０　法規制等
・・・
６）　化審法　既存化学物質名簿番号：７−２４」
（手続補足書４頁）
　
「製品安全データーシート
製造者情報　会社：互応化学工業株式会社
・・・
★製品名（化学名、商品名等）　ＫＢ−１２
★物質の特定　単一製品・混合物の区分：単一製品
・・・
　　　　　　　官報公示整理番号（化審法・・・）：７−２４」
（手続補足書５頁）
　
　上記の記載より、互応化学工業（株）製のＫＢ−１２は、化審法（化学物質の審査及び製造等の規制に関する法律）の官報公示整理番号が７−２４の物質であるといえる。
　
　ところで、独立行政法人製品評価技術基盤機構のウェブサイト（http://www.nite.go.jp/）における「化学物質管理分野」内の「化学物質総合情報提供システム（CHRIP）」（http://www.safe.nite.go.jp/japan/db.html）には、「化学物質総合検索システム」として、「化審法官報公示整理番号 （MITI番号）」による検索が行える「総合検索」がある。
　そこで、この検索システムにおいて、MITI番号が７−２４のものを検索すると、以下の情報が取得できる。
「Ｉ．一般情報
　日本語名　アルキル（Ｃ＝１〜５又はＨ）アミン・エピクロルヒドリン付加物の四級塩
・・・
　官報公示整理番号　７−２４」
　
　以上によれば、互応化学工業（株）製のＫＢ−１２は、アルキルアミンとグリコール類の重合物の一種であって、化審法の官報公示整理番号（MITI番号）が７−２４である、「アルキル（Ｃ＝１〜５又はＨ）アミン・エピクロルヒドリン付加物の四級塩」をいうものと認められる。
　そこで、上記認定に基づき、相違点について以下に検討する。
　
（３−２）相違点の想到容易性について
　刊行物２の摘示（２ａ）には、支持体上に銅を電着させるための酸性電解液に添加される添加物系として、「（ｃ）第三アルキルアミンとポリエピクロロヒドイン（審決注：「ポリエピクロロヒドリン」の誤記と解する。）との浴可溶アダクツ」を含む、成分（ａ）〜（ｄ）からなるものが記載されている。
　摘示（２ｃ）によれば、上記成分（ｃ）は、溶媒中でポリエピクロロヒドリンと第三アルキルアミンの溶液とを接触させることによって生成されるものであり、摘示（２ｄ）には、上記接触による生成物として、第四アンモニウム塩すなわち四級塩であるものが記載されている。
　してみると、刊行物２に記載された発明における成分（ｃ）は、「アルキルアミン・エピクロルヒドリン付加物の四級塩」に相当するものということができるし、摘示（２ｄ）には、上記成分（ｃ）の添加量が１３ｍｇ／Ｌであることも記載されている。
　摘示（２ａ）によれば、上記添加物系は、光沢およびレベリングを与える量で酸性銅電解液に添加されるものであるから、レベラー成分としての機能を有することが理解できるし、摘示（２ｂ）によれば、印刷回路板をの凹部を銅メッキするために使用できることも理解できるから、刊行物２には、印刷回路板をの凹部を銅メッキするための酸性電解液において、１３ｍｇ／Ｌのアルキルアミン・エピクロルヒドリン付加物の四級塩を含む添加物系をレベラー成分として添加することが記載されているものと認められる。
　これはすなわち、ＫＢ−１２をレベラー成分として含有していることを意味する。
　
　一方、刊行物１発明もブラインドビアホールのほか、スルホール、トレンチといった凹部を有する基板を銅めっきするために、レベラー成分を添加した酸性銅めっき浴を用いるものであるから、上記レベラー成分として、技術分野および機能・作用の共通する、刊行物２に記載されたＫＢ−１２を含有する添加物系を採用することに、格別の困難性は認められない。
　
　また、本願補正発明６の奏する効果も、刊行物１、２の記載から予測できないような、格別に顕著なものともいえない。
　
　したがって、本願補正発明６は、刊行物１、２に記載された発明に基いて当業者が容易に発明をすることができたものである。
　
４．本件手続補正についてのむすび
　以上のとおりであるから、本願補正発明６は、特許法第２９条第２項の規定により特許出願の際独立して特許を受けることができないものである。
　したがって、本件補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。
　
ＩＩＩ．本願発明について
１．本願発明
　平成１９年７月１３日付け手続補正は、上記のとおり却下されたので、本願の請求項１〜１５に係る発明は、平成１８年１０月２７日付け手続補正書により補正された特許請求の範囲の請求項１〜１５に記載された事項により特定される次のとおりのものであるところ、このうち、請求項８に係る発明（以下、「本願発明８」という。）は次のとおりのものである。
　
「【請求項８】
　パターニングされた基板を導電化処理した後、次の成分（ａ）〜（ｅ）
　（ａ）ＫＢ−１２　０．０１〜２ｇ／Ｌ
　（ｂ）ポリマー成分　０．０１〜１０ｇ／Ｌ
　（ｃ）キャリアー成分　０．０２〜２００ｍｇ／Ｌ
　（ｄ）銅イオン　１０〜７５ｇ／Ｌ
　（ｅ）有機酸または無機酸  ３０〜２５０ｇ／Ｌ
を含有する酸性銅めっき浴でめっきすることを特徴とする基板のめっき方法。」
　
２．引用刊行物とその記載事項
　原査定の拒絶の理由に引用された、本願出願前に頒布された刊行物である刊行物１、２とその主な記載事項は、上記「ＩＩ．２．引用刊行物とその記載事項」に記載したとおりである。
　
３．対比・判断
　本願発明８は、本願補正発明６における「ポリマー成分」を「ポリプロピレングリコール、プルロニック型界面活性剤、テトロニック型界面活性剤、ポリエチレングリコール・グリセリンエーテルおよびポリエチレングリコール・ジアルキルエーテルからなる群から選ばれる１種または２種以上のポリマー成分」とし、「キャリアー成分」を「スルホアルキルスルホン酸およびその塩、ビススルホ有機化合物およびジチオカルバミン酸誘導体からなる群から選ばれる１種または２種以上のキャリアー成分」としたとの限定が省かれたものである。
　
　そうすると、本願発明８を特定するために必要と認める事項を全て含み、さらに他の事項を付加したものに相当する本願補正発明６が、上記「ＩＩ．３．対比・判断」に記載したとおり、刊行物１、２に記載された発明に基づいて当業者が容易に発明をすることができたものであるから、本願発明８についても、同様の理由により、刊行物１、２に記載された発明に基づいて当業者が容易に発明をすることができたものである。
　
４．むすび
　以上のとおり、本願の請求項８に係る発明は、刊行物１、２に記載された発明に基づいて当業者が容易に発明をすることができたものであり、特許法第２９条第２項の規定により特許を受けることができず、本願は拒絶するべきものである。
　
　よって、結論のとおり審決する。